(57)【要約】      （修正有）【課題】ペットボトルのラベルを切離除去するのに好適で、しかも安全性が保持されたラベルカッターを提供する。【解決手段】一部に斜方向に形成された刃部を形成した二枚の合同体をした板体を有し、その二枚の板体を前記した刃部が内側となり、鋭角に交叉する状態で固定されていることとし、前記板体はステンレス鋼で形成され、固定手段は少なくとも一個以上のリベットを用い、かしめ付けしてあることとし、前記刃部は面角度が３０度以下の鋭角とされている。【選択図】図１
0003152755.tif 000002
【実用新案登録請求の範囲】
【請求項１】
一部に斜方向に形成された刃部を形成した二枚の合同体をした板体を有し、その二枚の板体を前記した刃部が内側となり、鋭角に交叉する状態で固定されていることを特徴とするラベルカッター。
【請求項２】
前記した板体はステンレス鋼で形成され、固定手段は少なくとも一個以上のリベットを用い、かしめ付けしてあることを特徴とする請求項１に記載のラベルカッター。
【請求項３】
前記した刃部は面角度が３０度以下の鋭角とされていることを特徴とする請求項１または請求項２に記載のラベルカッター。
【考案の詳細な説明】
【技術分野】
【０００１】
本考案はラベルカッターに関し、主として飲料、調味料、食用油等の液体が収納されているペットボトルの外周面に装着されているラベルをワンタッチで、かつ、一気に切離することのできるラベルカッターに関する。
【背景技術】
【０００２】
近時、ペットボトルは廃棄するについて、本体とキャップ及びラベルを分別して処理することが要求されている。しかしながら、ラベルをボトル本体から取り外すには簡単な手作業で剥離することは困難で、何らかの切断用具を用いることが必要となる。
【０００３】
この切断手段として考えられるのは、市販されているカッターや包丁等を含めたナイフ、鋏の類であるが、カッターやナイフは刃部が片刃もしくは両刃として露呈された状態となっており、作業中にその刃部によって指や手を傷付けてしまう場合があり、危険性を伴なう作業となる。
【０００４】
また、鋏の場合は対向し、枢動する二つの刃でラベルを剪断するため、一方の刃の背がボトル本体とラベルの間に挿し込まれた際、ボトル本体と当たり、自由な鋏の作業が阻害されてしまうこととなる。
【先行技術文献】
【特許文献】
【０００５】
出願人は本願考案について、先行する技術文献の調査をしたが、格別に本願と関連し、類似すると思われる文献は発見することができなかった。
【考案の概要】
【考案が解決しようとする課題】
【０００６】
本考案が解決しようとする問題点は、従来、ペットボトルのラベルを切離除去するのに好適で、しかも安全性が保持された用具は存在していなかったという点である。
【課題を解決するための手段】
【０００７】
上記した問題点を解決するために、本考案に係るラベルカッターは、一部に斜方向に形成された刃部を形成した二枚の合同体をした板体を有し、その二枚の板体を前記した刃部が内側となり、鋭角に交叉する状態で固定されていることを特徴としている。
【０００８】
また、本考案に係るラベルカッターは、前記した板体はステンレス鋼で形成され、固定手段は少なくとも一個以上のリベットを用い、かしめ付けしてあることを特徴としている。
【０００９】
さらに、本考案に係るラベルカッターは、前記した刃部は面角度が３０度以下の鋭角とされていることを特徴としている
【考案の効果】
【００１０】
本考案に係るラベルカッターは上記のように構成されている。そのため、ラベルを切断するための刃部が本体の内側に位置することで、作業中の安全が確保され、構成する二枚の板体を合同体とすることで同一形状の板体を型や切り出しで成形でき、刃部の成形も含め、流れ工程で一連に行なうことができ、価格も低廉なものとして需要者に供給することができる。
【００１１】
また、二枚の板体をステンレス鋼で成形することで長期に亘る使用、保存が可能となり、二枚の板体をリベットでかしめ付け、固定することで、表裏が全く同一の外観となり、外観的にも非常にシンプルですっきりとしたものとなる。
【００１２】
さらに、刃部の面角度を３０度以下、好ましくは２７〜２８度とすることで、最も効率よくラベルに作用して、これを切り裂くことができ、その作用はあたかも裁ち鋏で布地を裁つように、押し切りのワンタッチで完了させることができることとなる。
【００１３】
そして、本件を構成する二枚の板体の外表面には種々の広告やメッセージ、標語等をプリントしたり、シールを貼着したり、あるいは刻設することもでき、一種の販促品や景品として利用することもできるものとなっている。
【図面の簡単な説明】
【００１４】
【図１】本考案を実施したラベルカッターの斜視図である。
【図２】平面図である。
【図３】右側面図である。
【図４】左側面図である。
【図５】正面図である。
【図６】背面図である。
【図７】Ａ−Ａ線及びＢ−Ｂ線に沿った断面図である。
【考案を実施するための形態】
【００１５】
図面として示し、実施例で説明したように構成したことで実現した。
【実施例１】
【００１６】
次に、本考案の好ましい実施の一例を図面を参照して説明する。図１乃至図７にあって図中１は本考案に係るラベルカッター本体を示している。このラベルカッター本体１は二枚の板体２ａ、２ｂを重合固着させて形成されている。そのため、図として底面図は平面図と同一に表われる。
【００１７】
この二枚の板体２ａ、２ｂはステンレス鋼によって成形され、後端を角丸とした矩形状のもので、その前端側には片側に片寄せた位置に、突き事故が生じないよう先をアール状とした刃部３ａ、３ｂが全体の軸線方向に対し斜状となるように形成され、二枚の板体２ａ、２ｂのうち一方を反転させた状態で重合固着することで、刃部３ａ、３ｂに交叉部４が形成されている。この構造で刃部３ａ、３ｂはラベルカッター本体１の内側に位置されることとなり、指等を切る事故から防止できる。
【００１８】
また、前記した刃部３ａ、３ｂによる交叉角度は鋭角となり、刃部３ａ、３ｂの有する面角度は３０度以下で、２７〜２８度とされることが好ましい。この角度が、刃先がラベルに対し、最も効率よく切り込み、その後の裁断作用を実行することができる。
【００１９】
さらに、前記した板体２ａ、２ｂの刃部３ａ、３ｂが形成された隣接部分は欠落部とされており、この欠落部の存在によって刃部３ａ、３ｂのいずれか一方がペットボトル本体とラベルとの間にスムーズに挿入されることとなる。
【００２０】
そして、二枚の板体２ａ、２ｂは前記した重合状態でリベット５、５によって連結され、これをかしめることで固着されている。そのため、ラベルカッター本体１は表裏ともに同様の外観を持つこととなり、シンプルでスマートな外観を呈示する。
【００２１】
このラベルカッター本体１の外表面には、種々の広告、メッセージ、標語等をプリントしたり、シールを貼着したり、あるいは刻設することができ、このラベルカッター本体を単独商品として市販するほかに、販促品や景品等として手軽に使用することができる。
【００２２】
本実施例に係るラベルカッターは上記のように構成されている。ここで、その使用方法を説明すると、ペットボトル本体とその外面に装着されているラベルとの隙間にラベルカッター本体１の一方の刃部３ａ、３ｂのいずれか一方の先端を挿し込む。この挿し込みによって刃部３ａ、３ｂと接触したラベルはその縁部が切断され、そのまま、さらに刃部３ａ、３ｂを押し込むと、交叉部４が、前記した切れ目（裂け目）に当接し、そのまま裁ち切るようにラベルを切断する。この切断によって、ラベルをペットボトル本体から容易に取り外すことができ、分別しての処理が実行できる。
【産業上の利用可能性】
【００２３】
本実施例に係るラベルカッターは上記のように構成され、使用される。本実施例ではラベルカッター本体１を構成する二枚の板体２ａ、２ｂを略矩形状としているが、これにこだわるものではなく、楕円形やハート形等の種々の形状とすることは勿論可能で、ボトル形状を模した外観とすれば、販促品等としてはさらなる効果が見込めるものとなる。
【００２４】
また、本実施例に係るラベルカッターは素材をステンレス鋼として長期に亘る使用を実現しているが、必要に応じ、セラミック、プラスチック、木材、竹材等の他の素材によって成形することも可能なことは勿論であり、二枚の板体の固着もリベットに代えて、ビス、ネジ等の締結要素を使用することや、接着剤で接着固定してしまうことも可能である。
【符号の説明】
【００２５】
１    ラベルカッター本体
２ａ  板体
２ｂ  板体
３ａ  刃部
３ｂ  刃部
４    交叉部
５    リベット
【図１】
0003152755.tif 000003
【図２】
0003152755.tif 000004
【図３】
0003152755.tif 000005
【図４】
0003152755.tif 000006
【図５】
0003152755.tif 000007
【図６】
0003152755.tif 000008
【図７】
0003152755.tif 000009